(57)【特許請求の範囲】
【請求項１】
無線通信手段で接続された画像表示装置とオペレーティングシステムを備えたデータ処理装置とから構成されるワイヤレスディスプレイシステムであって、前記ワイヤレスディスプレイシステムは、
前記画像表示装置に対し、データを入出力する汎用のシリアル通信インタフェースであるデータ入出力手段と、
前記無線通信手段に対して、データ形式とプロトコルの変換を行なう入出力データ変換手段と、
前記データ入出力手段への出力を無線通信のデータ形式とプロトコルに変換し、前記データ入出力手段からの無線通信形式のデータとプロトコルを前記データ処理装置の前記オペレーティングシステムの仕様に従ったデータ入力に変換することにより、前記データ処理装置に対して、前記データ入出力手段があたかも直接接続されているかのように、仮想的なデータ入出力処理を行なう入出力処理仮想化手段と、を備え、
前記データ入出力手段と前記入出力データ変換手段は前記画像表示装置に設けられ、
前記入出力処理仮想化手段は前記データ処理装置に設けられ、
前記画像表示装置と前記データ処理装置との間で通信されるデータ入出力に関する全データは、前記入出力データ変換手段と前記入出力処理仮想化手段を通して相互に送受信される、ワイヤレスディスプレイシステム。
【請求項２】
前記画像表示装置は省電力制御手段を更に備え、
前記省電力制御手段は、前記画像表示装置が一定時間操作されない場合、前記画像表示装置を第１の省電力モードにする、請求項１に記載のワイヤレスディスプレイシステム。
【請求項３】
前記画像表示装置が第１の省電力状態で、前記データ入出力手段が所定時間未使用の場合、前記省電力制御手段は前記画像表示装置を第１の省電力モードより更に消費電力が少ない第２の省電力モードにする、請求項２記載のワイヤレスディスプレイシステム。
【請求項４】
前記画像表示装置は画像を表示する表示手段と、利用者が操作を行う操作手段を更に備え、
前記省電力制御手段は、第１の省電力モード時、前記表示手段と前記操作手段を省電力状態にする、請求項２あるいは請求項３記載のワイヤレスディスプレイシステム。
【請求項５】
前記無線通信手段は、前記データ処理装置から送信され、前記画像表示装置に表示される画像データを含む全データの通信レートを測定する手段を備え、前記通信レートが前記無線通信の実効通信レートの一定割合を超えた場合に、前記画像データの更新を一定間隔で間引くことにより、前記無線通信の通信レートを制御する、請求項１乃至請求項３記載のワイヤレスディスプレイシステム。
【請求項６】
前記データ入出力手段からの入力データを、前記データ処理装置と前記画像表示装置との間の無線接続時の接続認証に、あるいは、前記データ処理装置の利用者認証に使用する、請求項１乃至請求項５記載のワイヤレスディスプレイシステム。
【発明の詳細な説明】
【０００１】
【発明の属する技術分野】
本発明は、ディスプレイ部を携帯できるようにし、パーソナルコンピュータ（以降、ＰＣと略す）のディスプレイと本体間を無線接続したワイヤレスディスプレイシステムに関する。
【０００２】
【従来の技術】
従来、ワイヤレスディスプレイシステムでＰＣ用の入出力機器（例えば、バーコードリーダやテスタ、ＧＰＳ等）を使用する場合、データ処理装置であるＰＣ本体内蔵の入出力機器を使用するか、ＰＣ本体の汎用インタフェースに外付けした入出力機器を使う必要がある。
【０００３】
また、特開２００１−６９１４１号公報に開示された装置の様に、入出力機器のケーブル部を無線接続に置き換える装置を用いて、ワイヤレスディスプレイシステムと無線接続された入出力機器を併用することは可能である。
【０００４】
【発明が解決しようとする課題】
しかしながら、従来技術の前者の場合、ディスプレイとＰＣ本体を同時に携帯して使用しなければならなくなる。この場合、ディスプレイのみを携帯することでＰＣ操作が可能であることや、携帯するものが機械的な動作のないディスプレイのみであるため対衝撃性が高いこと、等のワイヤレスディスプレイシステム固有の特徴が活かせない。また、従来技術の後者の場合、前者に比べれば携帯機器が軽量化され、耐衝撃性も高まるが、複数機器を携帯する必要が生じ、不便である。また、省電力機能等において、ワイヤレスディスプレイシステムと入出力機器の間の連動した機器制御が望めない。また、認証や接続などのシーケンスも複雑なものとなる。よって、使用者にとって易しくないシステムになってしまう。
【０００５】
本発明は上記問題点に鑑みてなされたものであり、入出力機器をディスプレイ側で使用できるワイヤレスディスプレイシステムを構成し、さらにディスプレイ機能と入出力機器機能の、省電力面や接続・認証シーケンスにおける連動を実現することを目的とする。
【０００６】
【課題を解決するための手段】
上記目的を達成するために本発明のワイヤレスディスプレイシステムは、画像表示装置に対し、データを入出力するデータ入出力手段と、無線通信手段に対して、データ形式とプロトコルの変換を行なう入出力データ変換手段と、データ入出力手段への出力を無線通信のデータ形式とプロトコルに変換し、データ入出力手段からの無線通信形式のデータとプロトコルをデータ処理装置のオペレーティングシステムの仕様に従ったデータ入力に変換することにより、データ処理装置に対して、データ入出力手段があたかも直接接続されているかのように、仮想的なデータ入出力処理を行なう入出力処理仮想化手段とを備える。そして、前記データ入出力手段と前記入出力データ変換手段は前記画像表示装置に設けられ、入出力処理仮想化手段は前記データ処理装置側に設けられる。画像表示装置とデータ処理装置との間で通信される、データ入出力に関する全データは、入出力データ変換手段と入出力処理仮想化手段を通して相互に送受信される。
【００１２】
画像表示装置のデータ入出力手段が使用中であれば、省電力動作の実施は抑制される。画像表示装置のデータ入出力手段の入力データはデータ処理装置と前記画像表示装置との間の無線接続時の接続認証、あるいはデータ処理装置の利用者認証に使用される。
【００１３】
以上の構成により、入出力機器がディスプレイ側で使用でき、更に、ディスプレイ機能と入出力機器機能の、省電力面や接続・認証シーケンスにおける連動を実現することができる。
【００１４】
【発明の実施の形態】
以下、本発明の実施の形態を、図１から図１１を用いて詳細に説明する。
【００１５】
（実施の形態１）
図１は、本発明の実施の形態１に係るワイヤレスディスプレイシステムの構成を示す図である。
【００１６】
図１に、データ処理装置１０１と画像表示装置１０６を示す。ＣＰＵ１０２はデータ処理装置１０１の処理手段である。メモリ１０３とＨＤＤ１０４は共にデータ処理装置１０１の記憶手段である。メモリ１０３はＣＰＵ１０２で処理されるコードや処理データを一時的に記憶し、ＨＤＤ１０４は処理結果のデータ等を長期的に記憶する。無線部１０５はデータ処理装置１０１の無線通信手段であり、画像表示装置１０６との間で無線通信を行う。本実施の形態では、無線通信に、例えばＩＥＥＥ８０２．１１の技術を用いることができる。
【００１７】
ＣＰＵ１０７は画像表示装置１０６の処理手段である。メモリ１０８とフラッシュメモリ１０９は共に画像表示装置１０６の記憶手段である。メモリ１０８はＣＰＵ１０７で処理されるコードや処理データを一時的に記憶し、フラッシュメモリ１０９は処理結果のデータ等を長期的に記憶する。無線部１１０は画像表示装置１０６の無線通信手段であり、データ処理装置１０１との間で無線通信を行う。
【００１８】
タッチパネル１１１と操作ボタン１１２は共に画像表示装置１０６の操作手段である。タッチパネル１１１はＰＣ操作のうち、主に座標に依存する操作の入力を行う。操作ボタン１１２は確定等固定の操作入力、および画像表示装置が内蔵する独自の機能の呼出し等を行う。ＬＣＤ１１３は画像表示装置１０６の表示手段であり、データ処理装置１０１が無線通信経由で送信する画像を受信し、表示したり、画像表示装置１０６が自分で作成する画像を表示する。シリアルポート１１４は画像表示装置１０６のデータ入出力手段であり、ポートに接続したシリアル機器との間でデータ入出力を行う。本実施例の形態では、シリアル通信に例えば、ＲＳ−２３２−Ｃに準拠した技術を用いることができる。
【００１９】
本発明の実施の形態では、入出力処理仮想化手段は、データ処理装置１０１のメモリ１０３上に記憶され、ＣＰＵ１０２で実行されるプログラムで実現される。例えば、データ処理装置１０１のＣＰＵ１０２で実行されるコードが、オペレーティングシステムと、オペレーティングシステム上で動作するアプリケーションという構成をとる場合、入出力処理仮想化手段は、オペレーティングシステムの仕様に従ったドライバあるいは常駐アプリケーションとして実現される。入出力処理仮想化手段は、一般的なアプリケーションがシリアル通信処理をオペレーティングシステムに要求した場合に動作する。すなわち、オペレーティングシステムの仕様に従ったシリアルポートへのデータ出力あるいは状態変更のための指示を、無線通信のデータ形式とプロトコルに変換する。そして無線通信形式のデータとプロトコルを、オペレーティングシステムの仕様に従ったシリアルポートからのデータ入力あるいは状態変化の通知に変換する。この様にして、入出力仮想化手段は入出力処理を仮想化する。本実施の形態では、無線通信のデータ形式とプロトコルに例えば、ＴＣＰ／ＩＰプロトコルに関する技術を用いることができる。
【００２０】
また、入出力データ変換手段と省電力制御手段は、画像表示装置１０６のメモリ１０８上に記憶され、ＣＰＵ１０７で実行されるプログラムで実現される。入出力デ―タ変換手段は、シリアルポート１１４の入力データおよび状態変化情報を無線通信できるデータ形式およびプロトコルに、また、無線部１１０で受信した無線通信形式のデータおよびプロトコルをシリアルポート１１４の出力データおよび状態変更指示にそれぞれ変換する。省電力制御手段はＣＰＵ１０７、無線部１１０、タッチパネル１１１、ＬＣＤ１１３の省電力設定の変更、電源供給のＯＮ・ＯＦＦ切替等を個別に行うことができる。
【００２１】
データ処理装置１０１と画像表示装置１０６の間の無線通信接続が完了している状態で、シリアルポート１１４からのデータ入力およびシリアルポート１１４の信号線変化等の状態変化があった場合、画像表示装置１０６は、ＣＰＵ１０７上のプログラムによってシリアルデータおよび信号線変化を無線通信のデータ形式とプロトコルに変換し、無線部１１０からデータ処理装置１０１に送信する。データ処理装置１０１は、送信されてきた無線通信データ形式の入力データを無線部１０５で受信する。入力データは、ＣＰＵ１０２は、入出力処理仮想化プログラムによって、無線通信形式のデータとプロトコルを元のシリアルデータおよび信号線変化等の状態変化を示すコードに戻してから、ＣＰＵ１０２上の他のプログラムで取り扱う。これにより、無線通信経由のシリアル入力を、データ処理装置１０１に内蔵されたシリアルポートからのシリアル入力と同等に処理することができる。
【００２２】
シリアル入力の処理結果が表示画面に変化をもたらす場合、データ処理装置１０１のＣＰＵ１０２は、シリアル入力データ処理結果に基づいて、表示画面画像データを作成する。そしてＣＰＵ１０２は、画面画像の差分または全てを、無線部１０５から画像表示装置１０６に送信する。画像表示装置１０６は、送信されてきた表示画面画像データをＬＣＤ１１３に表示する。
【００２３】
また、データ処理装置１０１と画像表示装置１０６の間の無線通信接続が完了している状態で、データ処理装置１０１のＣＰＵ１０２上で動作する各種プログラムにより、シリアルポート１１４に対する出力データ、あるいはシリアルポート１１４の信号線変更等の状態変更指示が発生した場合、データ処理装置１０１は、内蔵されたシリアルポートからのシリアルデータと同等の出力処理を開始する。その出力処理はＣＰＵ１０２上の入出力仮想化プログラムを通じて行われる。その結果、シリアル出力データおよび信号線変更等の状態変更指示は無線通信のデータ形式とプロトコルに変換され、無線部１０５から画像表示装置１０６に送信される。画像表示装置１０６は、送信されてきた無線通信のデータ形式とプロトコルに変換されたシリアル出力データおよびシリアル信号線変更等の状態変更指示を無線部１１０で受信する。ＣＰＵ１０７上の入出力データ変換プログラムは、無線通信形式のデータとプロトコルを元のシリアル出力データおよびシリアル信号線変更等の状態変更指示に戻し、シリアルポート１１４への出力あるいは信号線変更等の状態変更を行う。
【００２４】
シリアル出力データを送信した結果、表示画面に変化を生じた場合、データ処理装置１０１のＣＰＵ１０２は、シリアル出力データ処理結果に基づいて表示画面画像データを作成し、画面画像の差分または全てを無線部１０５から画像表示装置１０６に送信する。画像表示装置１０６は、送信されてきた表示画面画像データをＬＣＤ１１３に表示する。
【００２５】
図２は本発明の実施の形態１に係るワイヤレスディスプレイシステムの外観を示す図である。
【００２６】
図２において、ＰＣ本体２０１はデータ処理装置１０１に、ディスプレイ２０２は画像表示装置１０６に相当する。また、ＬＣＤパネル２０３は表示手段、タッチパネル２０４、操作ボタン２０５はそれぞれ入力手段、シリアルポートのコネクタ２０６はデータ入出力手段である。
【００２７】
図３は本発明の実施の形態１に係るワイヤレスディスプレイシステムの画像表示装置の省電力処理を表すフローチャートである。
【００２８】
ワイヤレスディスプレイの画像表示装置１０６の起動後、ステップ３０１で、待ち時間タイマをセットし、一定時間（例えば２分間）経過するまで利用者による操作を待つ。２分間以内に操作が発生すれば、待ち時間タイマをリセットして再びステップ３０１で操作を待ち続ける。操作が発生しなければ、ステップ３０２で、第一レベルの省電力状態に移行する。ステップ３０２では、第一レベルの省電力状態として、省電力制御手段によりＬＣＤ１１３への電力供給を停止し、タッチパネル１１１へのアクセスを停止する。次にステップ３０３で、現在シリアルポート１１４が使用状態（オープン状態）にあるかどうかを確認し、第二レベルの省電力状態移行が行える状態かどうかを検証する。シリアルポート１１４がオープン中であれば、通信中のため第一レベルのみの省電力状態を継続するステップ３０４に、オープン中でなければ第二レベルの省電力状態の開始を待つステップ３０６に移行する。ステップ３０４では、利用者による操作ボタン１１２に対する操作が発生したかどうかを確認し、発生していれば省電力状態を解除するステップ３０７に、発生していなければステップ３０５に移行する。ステップ３０５では、シリアルポート１１４が使用しない状態（クローズ状態）になったかどうかを確認し、第二レベルの省電力状態に移行できるかどうかを検証する。シリアルポート１１４が未クローズであれば通信中のため、第一レベルのみの省電力状態を継続するステップ３０４に、クローズ済であれば、第二レベルの省電力状態の開始を待つステップ３０６に移行する。ステップ３０６では、ステップ３０１でセットした待ち時間タイマで一定時間（例えば５分間）経過するまで、操作ボタン１１２に対する利用者による操作を待つ。例えば５分間以内に操作が発生すればステップ３０７に、操作が発生しなければ第二レベルの省電力状態に移行するために３０８に移行する。ステップ３０７では、省電力制御手段により、ＬＣＤ１１３への電力供給を再開して点灯する。そしてタッチパネル１１１へのアクセスを再開することで、第一レベルの省電力状態を解除し、待ち時間タイマをリセットして再びステップ３０１へ戻る。ステップ３０８では、第二レベルの省電力状態として、画像表示装置１０６の電源を落とす、あるいは各部の電力消費を下げることで、残る処理手段、無線通信手段も含めた省電力制御を行う。
【００２９】
図４は本発明の実施の形態１に係るワイヤレスディスプレイシステムの無線通信処理を表すフローチャートである。
【００３０】
データ処理装置１０１と画像表示装置１０６の間で無線接続が完了し、無線通信が開始すると、ステップ４０１で以下の各データの通信レートを測定する。各データとは無線通信対象の全データ、すなわち、タッチパネル１１１や操作ボタン１１２から入力された利用者の操作データ、データ処理装置１０１が利用者の操作やシリアルポート１１４関連のデータ入出力に従ってデ―タ処理を行った結果の画面画像データ、シリアルポート１１４からの入力データ、およびデータ処理装置１０１がシリアルポート１１４を使って出力しようとする出力データの全てを総計したものである。測定結果の通信レートが、採用した無線通信方式における実効通信レートの一定割合（例えば７５％）を超えたら、ステップ４０２で画面画像データの更新を一定間隔で間引く。例えば、更新レートを通常の半分にすることで、無線通信線上の通信データのレートを低下させる。ステップ４０１で測定した通信レートが実効通信レートの一定割合を超えない場合、そのまま通信を継続する。４０３で、画面更新間引きにより全データの通信レートが、採用した無線通信方式の実効通信レートの一定割合（例えば５０％）を下回ったら、４０４で画面画像データの更新の間引きを解消し、そのまま通信を継続する。
【００３１】
（実施の形態２）
以下に本発明の実施の形態２について、図５、図６を参照しながら説明する。
【００３２】
実施の形態２は、ワイヤレスディスプレイのディスプレイ側に内蔵するか、あるいは外付けされたバーコードリーダをデータ入出力手段として用いることのみが実施の形態１と異なる。他の構成、データ入出力処理、省電力処理および無線通信処理は実施の形態１と共通するので、構成および前記各処理についての詳細は省略する。
【００３３】
図５は本発明の実施の形態２に係るワイヤレスディスプレイシステムの外観を示す図である。
【００３４】
図５において、ＰＣ本体５０１はデータ処理装置に、ディスプレイ５０２は画像表示装置に相当する。また、ＬＣＤパネル５０３は表示手段、タッチパネル５０４、操作ボタン５０５はそれぞれ入力手段、バーコードリーダ５０６はデータ入出力手段である。なお、図５では、バーコードリーダ５０６はディスプレイ５０２にケーブルで接続されているが、ディスプレイ５０２内部に内蔵されていても構わない。
【００３５】
図６は本発明の実施の形態２に係るワイヤレスディスプレイシステムの認証処理を表すフローチャートである。
【００３６】
ＰＣ本体５０１を起動した後、ディスプレイ５０２の電源を入れてディスプレイ５０２に接続されたバーコードリーダ５０６を起動し、バーコード読み取り可能状態にする。ステップ６０１で、利用者はバーコードリーダ５０６を使って、ＩＤプレートの様に利用者を識別できるバーコードが印刷された物のバーコードを読み取る。ステップ６０２では、読み取り結果から接続認証用パスワード、ユーザ認証用ユ―ザＩＤおよびパスワードを取得する。
【００３７】
本実施の形態で、接続認証用パスワード、ユーザ認証用ユーザＩＤおよびパスワードを取得するには、バーコードリーダ５０６で読み取られたデータから接続認証用パスワード、ユーザ認証用ユーザＩＤおよびパスワードを取得するためのテーブルを、ディスプレイ５０２内の記憶手段に事前に格納しておく。読み取り結果のデータで前記テーブルを参照する方法と、読み取り結果のデータ自体に含まれる接続認証用パスワード、ユーザ認証用ユーザＩＤおよびパスワードを、前記読み取り結果データから直接取り出す方法とがある。
【００３８】
接続認証用パスワード、ユ―ザ認証用ユーザＩＤおよびパスワードが入手できたら、ステップ６０３で、ディスプレイ５０２とＰＣ本体５０１の間の無線接続処理を開始する。無線接続処理を開始すると、まずステップ６０４で、無線接続認証用パスワードを用いて無線接続認証を行う。無線接続認証には、取得した無線接続認証用パスワードとＰＣ本体５０１側に記憶したパスワードとの一致を検証する等の一般的な認証方式を用いて構わない。ステップ６０５で認証結果を確認し、無線接続認証に失敗した場合、ステップ６０９で無線接続処理を中止する。無線接続認証が成功した場合、続いて、ユーザ認証用のユーザＩＤとパスワードを無線通信でＰＣ本体５０１に送信し、ＰＣ本体５０１でユーザ認証を行う。ステップ６０７で、ユーザ認証に失敗した場合、ステップ６０９で無線接続処理を中止する。ユーザ認証に成功した場合、ステップ６０８でユーザＩＤに応じたＰＣ本体５０１の動作環境を再現し、無線接続処理を完了する。ステップ６０８より後は、通常の無線通信が可能となる。
【００３９】
（実施の形態３）
以下に本発明の実施の形態３について、図７を参照しながら説明する。
【００４０】
実施の形態３は、ワイヤレスディスプレイのディスプレイに、内蔵するか、あるいは外付けされたテスターをデータ入出力手段として用いることのみが実施の形態２と異なる。他の構成、データ入出力処理、省電力処理および無線通信処理は実施の形態２と共通するので、構成、および前記各処理についての詳細な説明は省略する。
【００４１】
図７は本発明の実施の形態３に係るワイヤレスディスプレイシステムの外観を示す図である。
【００４２】
図７において、ＰＣ本体７０１はデータ処理装置に、ディスプレイ７０２は画像表示装置に相当する。また、ＬＣＤパネル７０３は表示手段、タッチパネル７０４、操作ボタン７０５はそれぞれ入力手段、テスター７０６はデータ入出力手段である。なお、図７中でテスター７０６はディスプレイ７０２にケーブルで接続されているが、ディスプレイ７０２内部に内蔵されていても構わない。
【００４３】
（実施の形態４）
以下に本発明の実施の形態４について、図８を参照しながら説明する。
【００４４】
実施の形態４は、ワイヤレスディスプレイのディスプレイに、内蔵するか、あるいは外付けされたデジタルカメラをデータ入出力手段として用いることのみが実施の形態２と異なる。他の構成、データ入出力処理、省電力処理、無線通信処理、および認証処理は実施の形態２と共通するので、構成、および前記各処理についての詳細な説明は省略する。
【００４５】
図８は本発明の実施の形態４に係るワイヤレスディスプレイシステムの外観を示す図である。
【００４６】
図８において、ＰＣ本体８０１はデータ処理装置に、ディスプレイ８０２は画像表示装置に相当する。また、ＬＣＤパネル８０３は表示手段、タッチパネル８０４、操作ボタン８０５はそれぞれ入力手段、デジタルカメラ８０６はデータ入出力手段である。なお、図８で、デジタルカメラ８０６はディスプレイ８０２にケーブルで接続されているが、ディスプレイ８０２内部に内蔵されていても構わない。
【００４７】
（実施の形態５）
以下に本発明の実施の形態５について、図９を参照しながら説明する。
【００４８】
実施の形態５は、ワイヤレスディスプレイのディスプレイに、内蔵するか、あるいは外付けされたカードリーダをデータ入出力手段として用いることのみが実施の形態２と異なる。他の構成、データ入出力処理、省電力処理、無線通信処理、および認証処理は実施の形態２と共通するので、構成、および前記各処理についての詳細な説明は省略する。
【００４９】
図９は本発明の実施の形態５に係るワイヤレスディスプレイシステムの外観を示す図である。
【００５０】
図９において、ＰＣ本体９０１はデータ処理装置、ディスプレイ９０２は画像表示装置に相当する。また、ＬＣＤパネル９０３は表示手段、タッチパネル９０４、操作ボタン９０５はそれぞれ入力手段、バーコードリーダ９０６はデータ入出力手段である。なお、図９で、カードリーダ９０６はディスプレイ９０２にケーブルで接続されているが、ディスプレイ９０２内部に内蔵されていても構わない。
【００５１】
（実施の形態６）
以下に本発明の実施の形態６について、図１０を参照しながら説明する。
【００５２】
実施の形態６は、ワイヤレスディスプレイのディスプレイ側に内蔵するか、あるいは外付けされたスキャナをデータ入出力手段として用いることのみが実施の形態２と異なる。他の構成、データ入出力処理、省電力処理、無線通信処理、および認証処理は実施の形態２と共通するので、構成、および前記各処理についての詳細説明は省略する。
【００５３】
図１０は本発明の実施の形態６に係るワイヤレスディスプレイシステムの外観を示す図である。
【００５４】
図１０において、ＰＣ本体１００１はデータ処理装置、ディスプレイ１００２は画像表示装置に相当する。ＬＣＤパネル１００３は表示手段、タッチパネル１００４、操作ボタン１００５はそれぞれ入力手段、スキャナ１００６はデータ入出力手段である。なお、図１０で、スキャナ１００６はディスプレイ１００２にケーブルで接続されているが、ディスプレイ１００２内部に内蔵されていても構わない。
【００５５】
（実施の形態７）
以下に本発明の実施の形態７について、図１１を参照しながら説明する。
【００５６】
実施の形態７は、ワイヤレスディスプレイのディスプレイに、内蔵するか、あるいは外付けされたＧＰＳ受信機をデータ入出力手段として用いることのみが実施の形態２と異なる。他の構成、データ入出力処理、省電力処理、および無線通信処理は実施の形態２と共通するので、構成、および前記各処理についての詳細説明は省略する。
【００５７】
図１１は本発明の実施の形態７に係るワイヤレスディスプレイシステムの外観を示す図である。
【００５８】
図１１において、ＰＣ本体１１０１はデータ処理装置、ディスプレイ１１０２は画像表示装置に相当する。ＬＣＤパネル１１０３は表示手段、タッチパネル１１０４、操作ボタン１１０５はそれぞれ入力手段、ＧＰＳ受信機１１０６はデータ入出力手段である。なお、図１１で、ＧＰＳ１１０６はディスプレイ１１０２にケーブルで接続されているが、ディスプレイ１１０６内部に内蔵されていても構わない。
【００５９】
以上、本発明のワイアレスディスプレイシステムとその通信方法を、実施例により具体的に説明した。本発明によれば、入出力機器がワイヤレスディスプレイのディスプレイ側で使用できるようになる。さらに、ディスプレイ機能と入出力機器機能が連動して、省電力制御や使い易い接続および認証シーケンスを実現することができる。
【００６０】
尚、本発明は、マイクロコンピュータ等のコンピュータとそのプログラムを用いて実現可能であり、このプログラムはコンピュータが読み取り可能な記録媒体に記録される。
【００６１】
【発明の効果】
以上詳述したように、本発明によれば、入出力機器がワイヤレスディスプレイのディスプレイ側で使用でき、さらにディスプレイ機能と入出力機器機能の、省電力面や接続・認証シーケンスにおける連動による使い易さを実現できる。
【図面の簡単な説明】
【図１】本発明の実施の形態１のワイヤレスディスプレイシステムの構成を示すブロック図
【図２】本発明の実施の形態１のワイヤレスディスプレイシステムの外観を示す図
【図３】本発明の実施の形態１のワイヤレスディスプレイシステムの省電力処理を表すフローチャート
【図４】本発明の実施の形態１のワイヤレスディスプレイシステムの無線通信処理を表すフローチャート
【図５】本発明の実施の形態２のワイヤレスディスプレイシステムの外観を示す図
【図６】本発明の実施の形態２のワイヤレスディスプレイシステムの認証処理を表すフローチャート
【図７】本発明の実施の形態３のワイヤレスディスプレイシステムの外観を示す図
【図８】本発明の実施の形態４のワイヤレスディスプレイシステムの外観を示す図
【図９】本発明の実施の形態５のワイヤレスディスプレイシステムの外観を示す図
【図１０】本発明の実施の形態６のワイヤレスディスプレイシステムの外観を示す図
【図１１】本発明の実施の形態７のワイヤレスディスプレイシステムの外観を示す図
【符号の説明】
１０１  データ処理装置
１０２  ＣＰＵ（データ処理装置側）
１０３  メモリ（データ処理装置側）
１０４  ＨＤＤ
１０５  無線部（データ処理装置側）
１０６  画像表示装置
１０７  ＣＰＵ（画像表示装置側）
１０８  メモリ（画像表示装置側）
１０９  フラッシュメモリ
１１０  無線部（画像表示装置側）
１１１，２０４，５０４，７０４，８０４，９０４，１００４，１１０４  タッチパネル
１１２，２０５，５０５，７０５，８０５，９０５，１００５，１１０５  操作ボタン
１１３，２０３，５０３，７０３，８０３，９０３，１００３，１１０３  ＬＣＤ
１１４，２０６  シリアルポート
２０１，５０１，７０１，８０１，９０１，１００１，１１０１  ＰＣ本体
２０２，５０２，７０２，８０２，９０２，１００２，１１０２  ディスプレイ
５０６  バーコードリーダ
７０６  テスター
８０６  デジタルカメラ
９０６  カードリーダ
１００６  スキャナ
１１０６  ＧＰＳ受信機
【図１】
0004759836.tif 000002
【図２】
0004759836.tif 000003
【図３】
0004759836.tif 000004
【図４】
0004759836.tif 000005
【図５】
0004759836.tif 000006
【図６】
0004759836.tif 000007
【図７】
0004759836.tif 000008
【図８】
0004759836.tif 000009
【図９】
0004759836.tif 000010
【図１０】
0004759836.tif 000011
【図１１】
0004759836.tif 000012